(57)【要約】    【課題】壁面に２パネル型インターホン親機が設置されていても美観性や施工性を損なうことなく１パネル型インターホン親機に交換できるようにする。    【解決手段】火災、ガス等のセンサが接続されるセキュリティインターホン機能と集合玄関機で撮像した映像を出画するモニタ機能とを複合したインターホン親機２をセキュリティインターホン機能とモニタ機能とを別体で設置されていたインターホン親機と交換して居室内の壁面５に設けられた通信、電源線の配線出入れ穴５１に合わせて壁面上に取り付けるにあたり、複合したインターホン親機はセキュリティインターホン機能及びモニタ機能を働かすための電子部品を実装する上ケース２２及び下ケース２１で構成され、別体のインターホン親機が取り付けられていた配線出し入れ穴を含む壁面部を覆い隠すための化粧パネル４を設け、化粧パネルは下ケースの電子部品実装シャーシ２１ａを差し込んで嵌め込むための平面寸法と奥行きを有するシャーシ取付穴４１を中央に穿設している。    【選択図】図１
2005204051.tif 000002
【特許請求の範囲】
【請求項１】
火災、ガス等のセンサが接続されるセキュリティインターホン機能と集合玄関機（１）で撮像した映像を出画するモニタ機能とを複合したインターホン親機（２）を前記セキュリティインターホン機能と前記モニタ機能とを別体で設置されていたインターホン親機と交換して居室内の壁面（５）に設けられた通信、電源線の配線出入れ穴（５１）に合わせて前記壁面上に取り付けるにあたり、
前記複合したインターホン親機は前記セキュリティインターホン機能及び前記モニタ機能を働かすための電子部品を実装する上ケース（２２）及び下ケース（２１）で構成され、
前記別体のインターホン親機が取り付けられていた前記配線出し入れ穴を含む壁面部を覆い隠すための化粧パネル（４）を設け、
前記化粧パネルは、前記下ケースの電子部品実装シャーシ（２１ａ）を差し込んで嵌め込むための平面寸法と奥行きを有するシャーシ取付穴（４１）を中央に穿設したことを特徴とするインターホン取付構造。
【請求項２】
前記化粧パネルは、外周を２段構造（Ｄ）として前記壁面内に埋め込み又は埋め込めることなく前記壁面上に取り付るものであることを特徴とする請求項１記載のインターホン取付構造。
【請求項３】
前記化粧パネルは前記奥行き方向で最奥端部（Ｌ）上に、前記壁面に取り付けるためのねじ穴（４２）を設けたことを特徴とする請求項１または請求項２記載のインターホン取付構造。
【請求項４】
前記シャーシ取付穴を前記配線出し入れ穴から偏心させて前記化粧パネルを前記壁面上に取り付けることにより前記通信、電源線を前記配線出し入れ穴から前記シャーシ取付穴を介して前記インターホン親機へ配線する配線スペースを確保することを特徴とする請求項１乃至請求項３のうち何れか１項に記載のインターホン取付構造。
【発明の詳細な説明】
【技術分野】
【０００１】
本発明は、インターホン取付構造に係り、特に美観性や施工性を考慮したインターホン取付構造に関する。
【背景技術】
【０００２】
従来、集合住宅の各住戸内に設置されるインターホン親機は、火災、ガス等のセンサが接続されるセキュリティインターホン機能と、集合玄関機で撮像した映像を出画するモニタ機能とを別体の機器にもたせていたので、この機器を２つ並べて構成させることが一般的である（以下、本明細書中において「２パネル型インターホン親機」という。）。この２パネル型インターホン親機が埋込型の場合には、２つの機器を並べて埋め込むことができる機器埋込ボックスを嵌め込むための通信線や電源線の配線出し入れ穴を壁面に設けている。この場合、機器埋込ボックスを壁面に取り付けてからこの機器埋込ボックスに２つの機器の各下ケースの電子部品実装シャーシを嵌め込んで固定し、その上から各上ケースを取り付けて施行している。
【０００３】
【非特許文献１】アイホン  総合カタログ２００３／２００４年版（４９頁）
【発明の開示】
【発明が解決しようとする課題】
【０００４】
背景技術に記載した非特許文献１に開示された２パネル型インターホン親機を壁面に設置後、リニューアル等によりセキュリティインターホン機能とモニタ機能とを１つの機器にもたせたインターホン親機（以下、本明細書中において「１パネル型インターホン親機」という。）と交換する場合には、２つの機器を並べて埋め込むことができる機器埋込ボックスを嵌め込むための穴が壁面に設けられているので、１パネル型インターホン親機のような２パネル型インターホン親機より小型サイズの機器では壁面の穴を完全には塞ぐことができず、外観上好ましくない。
【０００５】
一方、２パネル型インターホン親機が露出型の場合には、壁面に嵌め込む機器取付ボックスの部位は機器埋込ボックスより小さいが、２つの機器は並べて設置されることになる。この場合、１パネル型インターホン親機で壁面の穴を塞ぐことは可能にはなるが、壁面が２つの機器分だけ変色し、１パネル型インターホン親機を壁面に取り付けたときに変色した部分が見えてしまうことになるので、この場合も外観上好ましくない。
【０００６】
そこで本発明の目的は、壁面に２パネル型インターホン親機が設置されていても美観性や施工性を損なうことなく１パネル型インターホン親機に交換することができるインターホン取付構造を提供することにある。
【課題を解決するための手段】
【０００７】
本発明の第１の態様であるインターホン取付構造は、火災、ガス等のセンサが接続されるセキュリティインターホン機能と集合玄関機で撮像した映像を出画するモニタ機能とを複合したインターホン親機をセキュリティインターホン機能とモニタ機能とを別体で設置されていたインターホン親機と交換して居室内の壁面に設けられた通信、電源線の配線出し入れ穴に合わせて壁面上に取り付けるにあたり、複合したインターホン親機はセキュリティインターホン機能及びモニタ機能を働かすための電子部品を実装する上ケース及び下ケースで構成され、別体のインターホン親機が取り付けられていた配線出入れ穴を含む壁面部を覆い隠すための化粧パネルを設け、化粧パネルは、下ケースの電子部品実装シャーシを差し込んで嵌め込むための平面寸法と奥行きを有するシャーシ取付穴を中央に穿設したものである。
【０００８】
本発明の第２の態様は第１の態様であるインターホン取付構造において、化粧パネルは、外周を２段構造として壁面内に埋め込み又は埋め込めることなく壁面上に取り付るものである。
【０００９】
本発明の第３の態様は第１の態様又は第２の態様であるインターホン取付構造において、化粧パネルは奥行き方向で最奥端部上に、壁面に取り付けるためのねじ穴を設けたものである。
【００１０】
本発明の第４の態様は第１の態様乃至第３の態様の各態様であるインターホン取付構造において、シャーシ取付穴を配線出し入れ穴から偏心させて化粧パネルを壁面上に取り付けることにより通信、電源線を配線出し入れ穴からシャーシ取付穴を介してインターホン親機へ配線する配線スペースを確保するものである。
【発明の効果】
【００１１】
本発明のインターホン取付構造によれば、下ケースの電子部品実装シャーシと同一の大きさの平面寸法と奥行きを有するシャーシ取付穴を中央に穿設した化粧パネルを設けたことにより、別体のインターホン親機が取り付けられていた配線出入れ穴を含む壁面部を、その化粧パネルにより覆い隠すことができるので、美観性や施工性を損なうことなく２パネル型インターホン親機から１パネル型インターホン親機に交換することができる。
【発明を実施するための最良の形態】
【００１２】
以下、本発明のインターホン取付構造を実施するための最良の形態例について、図面を参照して説明する。
【００１３】
本発明を実施するための最良の一形態であるインターホン取付構造が適用されるインターホンは図２に示すように、集合住宅のエントランスに設置される集合玄関機１と、集合住宅の各住戸内に設置されるインターホン親機２と、集合玄関機１からインターホン親機２への呼び出し及び集合玄関機１、インターホン親機２間の通話の制御を行なうための制御機３とを備えている。また、集合玄関機１は第１の呼出・通話ラインＬ１を介して制御機３に接続され、この制御機３には第２の呼出・通話ラインＬ２を介して各エリア毎（例えば、各階毎）に設けられているインターホン親機群のうち前段側のインターホン親機２Ａがバス接続され、このインターホン親機２Ａに対して複数のインターホン親機２Ｂ、２Ｃ、・・・が順次、縦接続されている。
【００１４】
集合玄関機１は、来訪者を撮像するためのカメラ１１と、来訪者が住戸内の居住者を呼び出すための操作部１２と、呼び出すことにより通話状態になったインターホン親機２で居住者と通話するための玄関機スピーカ１３及び玄関機マイク１４とを備えている。
【００１５】
インターホン親機２Ａ、２Ｂ、２Ｃ、・・・は図３に示すように、集合玄関機１のカメラ１１で撮像された映像を出画するモニタ２０１と、集合玄関機１からの呼び出しに応答するための通話ボタン２０２と、通話状態になった集合玄関機１で来訪者と通話するための親機スピーカ２０３及び親機マイク２０４と共に、警報音復旧停止ボタン２０５及び非常ボタン２０６等も備えている。
【００１６】
このようなインターホン親機２Ａ、２Ｂ、２Ｃ、・・・は住戸内の所定の壁面に設置されている。このインターホン親機２Ａ、２Ｂ、２Ｃ、・・・がセキュリティインターホン機能とモニタ機能とを１つの機器にもたせた１パネル型インターホン親機の場合、図１に示すように、セキュリティインターホン機能及びモニタ機能を働かすための電子部品を実装する上ケース２２及び下ケース２１で構成されている。また、下ケース２１には例えば方形状の面から成る函体である電子部品実装シャーシ２１ａが形成され（図３参照）、電子部品が内蔵される。
【００１７】
この１パネル型インターホン親機２を壁面５に設置するために、本発明のインターホン取付構造では化粧パネル４を使用する。この化粧パネル４は壁面５にねじ止めするもので、下ケース２１の電子部品実装シャーシ２１ａを差し込んで嵌め込むための平面寸法と奥行きを有するシャーシ取付穴４１が中央に穿設されている。
【００１８】
また、化粧パネル４は図４に示すように、壁面取付側の外周が２段の階段構造Ｄに形成され、１段目（最下階段部）Ｄ１を壁面内に埋め込むことにより２段目Ｄ２の縁の端面Ｄ２ａが壁面上に当接されることになる。この化粧パネル４によれば、１段目Ｄ１の縁の端面Ｄ１ａを壁面上に当接させることにより化粧パネル４を埋め込むことなく壁面５に設置することができる、即ち、露出型インターホン親機に対応させることができると共に、１段目Ｄ１を壁面内に埋め込み２段目Ｄ２の縁の端面Ｄ２ａを壁面上に当接させることにより化粧パネル４を壁面５に設置することができる、即ち、埋込型インターホン親機にも対応させることができるようになる。なお、埋込型インターホン親機をより薄型に見せるために、パネルの露出する部分が薄くなるように１段目Ｄ１の深さ方向の長さＨ１を長くし、２段目Ｄ２の深さ方向の長さＨ２を短くすることにより、化粧パネル４の厚さをインターホン親機の厚さとほぼ同様にすることができるので、薄型化を強調させることができる。
【００１９】
さらに、化粧パネル４は図１に示すように、パネルを表面から見て奥行き方向で最奥端部Ｌ上に、壁面５に取り付けるためのねじ穴４２を有するねじ取付座４３を、シャーシ取付穴４１を中心にして左右対称に２組ずつ設けている。このねじ取付座４３によれば、厚みのある化粧パネルであってもねじ取付座４３が化粧パネルの奥行き方向で最奥端部Ｌ上にあるので壁面５に近くなり、取り付けがし易くなる。
【００２０】
このような化粧パネル４は、埋込型の場合には２パネル型インターホン親機用の機器埋込ボックスを嵌め込むことができる配線出し入れ穴５１を覆い隠すことができ、露出型の場合には２つの機器分だけ変色している壁面５を覆い隠すことができるような表面積の大きさで形成されている。これにより、美観性に優れることになる。また、この化粧パネル４は図５に示すように、シャーシ取付穴４１の奥行きとなる嵌合壁４４が、当該シャーシ取付穴４１の周囲に下ケース２１の電子部品実装シャーシ２１ａを差し込んで嵌め込み可能に形成され、この嵌合壁４４とパネル枠４５の内壁との間は空間Ｓとなっている。
【００２１】
次に、セキュリティインターホン機能とモニタ機能とを複合した１パネル型インターホン親機２をセキュリティインターホン機能とモニタ機能とを別体で設置されていた２パネル型インターホン親機と交換して居室内の壁面５に設けられた配線出入れ穴５１に合わせて壁面上に取り付ける作業について説明する。
【００２２】
２パネル型インターホン親機が露出型の場合には、化粧パネル４のシャーシ取付穴４１と壁面５の配線出し入れ穴５１とが貫通可能な状態で化粧パネル４を壁面上にビス止めするために、当該化粧パネル４のねじ取付座４３のねじ穴４２からねじを挿入し壁面５に螺着する。化粧パネル４を壁面上に取り付け後、下ケース２１の電子部品実装シャーシ２１ａを化粧パネル４のシャーシ取付穴４１に嵌合し、下ケース２１を化粧パネル４にねじ２３でねじ止めする。下ケース２１を化粧パネル４に取り付け後、下ケース２１と上ケース２２とを組み合わせれば、１パネル型インターホン親機を壁面５に設置完了となる。
【００２３】
また、２パネル型インターホン親機が壁面に対して薄型化を図る埋込型の場合には、壁面５の配線出し入れ穴５１に化粧パネル４の階段構造Ｄの１段目Ｄ１を嵌め込み、当該化粧パネル４のねじ取付座４３のねじ穴４２からねじを挿入し壁面内に設けられた取付座（図示せず）に螺着する。化粧パネル４を壁面５に取り付け後、下ケース２１の電子部品実装シャーシ２１ａを化粧パネル４のシャーシ取付穴４１に嵌合し、下ケース２１を化粧パネル４にねじ２３でねじ止めする。下ケース２１を化粧パネル４に取り付け後、下ケース２１と上ケース２２とを組み合わせれば、１パネル型インターホン親機を壁面５に設置完了となる。
【００２４】
なお、壁面内に配線されている通信線や電源線を１パネル型インターホン親機に接続するには、通常、図６（ａ）に示すように、壁面５の配線出し入れ穴５１から引き出されている通信・電源線Ｗが下ケース２１の裏側から上部に配線され、この上部から１パネル型インターホン親機２の上部に設けられた接続端子（図示せず）に接続されてる。このように通信・電源線Ｗを下ケース２１の裏側から取り回しているが、図６（ｂ）に示すように、化粧パネル４のシャーシ取付穴４１を壁面５の配線出し入れ穴５１から偏心させて、化粧パネル４を壁面に取り付ければ、通信・電源線Ｗを化粧パネル４の嵌合壁４４とパネル枠４５の内壁との間にできる空間Ｓに配線できるようになるので、１パネル型インターホン親機２へ配線する配線スペースを確保することができる。これにより、下ケース２１を壁面５に当接させることができるようになるので、化粧パネル４に組み込まれたインターホン親機２を、さらに薄型にすることが可能になる。
【図面の簡単な説明】
【００２５】
【図１】本発明のインターホン取付構造による最良な実施の一形態を示す分解斜視図。
【図２】本発明のインターホン取付構造が適用される１パネル型インターホン親機を使用するインターホンシステムを示すシステム構成図。
【図３】本発明のインターホン取付構造が適用される１パネル型インターホン親機を示す図で、（ａ）は正面図、（ｂ）は側面図。
【図４】本発明のインターホン取付構造が適用される１パネル型インターホン親機を化粧パネルに組み合わせた状態を示す図で、（ａ）は正面図、（ｂ）は側面図、（ｃ）は底面図。
【図５】本発明のインターホン取付構造が適用される化粧パネルを裏面から見た状態を示す斜視図。
【図６】本発明のインターホン取付構造を適用した場合の通信線、電源線の取り回し状態を示す図で、（ａ）はインターホン親機の裏側から配線した場合の説明図、（ｂ）はインターホン親機の側面から配線した場合の説明図。
【符号の説明】
【００２６】
１……集合玄関機
２……インターホン親機
２１……下ケース
２１ａ……電子部品実装シャーシ
２２……上ケース
４……化粧パネル
４１……シャーシ取付穴
４２……ねじ穴
５……壁面
５１……配線出し入れ穴
Ｄ……化粧パネルの２段構造
Ｌ……化粧パネルの最奥端部
【図１】
2005204051.tif 000003
【図２】
2005204051.tif 000004
【図３】
2005204051.tif 000005
【図４】
2005204051.tif 000006
【図５】
2005204051.tif 000007
【図６】
2005204051.tif 000008